(57)【要約】【課題】  本発明は、持ち方を誰でも簡単に変更できるマルチウェイバッグの改良技術に関する。【解決手段】  略扁平直方体形状のバッグ本体１２とバッグ本体１２に係合された１本の環状ベルト体１４を有し、環状ベルト体１４を利用して複数の持ち方ができるマルチウェイバッグ１０であり、  バッグ本体１２は対向する両扁平面１６に直交して第１側面１８を有し、第１側面１８の長手方向両端部には環状ベルト体１４が通されるベルトループ２０が設けられ、第１側面１８の長手方向略中央には環状ベルト体１４の一部が固定される固定部２６が設けられ、  さらに第２側面２４の長手方向両端部にはベルトループ２０が設けられ、  ベルトループ２０は環状ベルト体１４を取り外すための着脱機構２２を有し、  環状ベルト体１４は少なくとも２つのベルトループ２０に通されて吊持手段を形成することを特徴とする。【選択図】      図１
2019154931.tif 000002
【特許請求の範囲】
【請求項１】
略扁平直方体形状のバッグ本体と該バッグ本体に係合された１本の環状ベルト体を有し、該環状ベルト体を利用して複数の持ち方ができるマルチウェイバッグであって、
前記バッグ本体は、対向する両扁平面に直交して第１側面を有し、該第１側面の長手方向両端部には前記環状ベルト体が通されるベルトループが設けられるとともに該第１側面の長手方向略中央には少なくとも前記環状ベルト体の一部が固定される固定部が設けられ、
さらに前記第１側面に対向する第２側面の長手方向両端部にはベルトループが設けられ、
前記ベルトループは、前記環状ベルト体を取り外すための着脱機構を有し、
前記環状ベルト体は、少なくとも２つのベルトループに通されて吊持手段を形成することを特徴とするマルチウェイバッグ。
【請求項２】
請求項１に記載のマルチウェイバッグであって、
当該マルチウェイバッグは、前記環状ベルト体が第１側面の長手方向両端部に設けられた２つのベルトループおよび第２側面の長手方向両端部に設けられた２つのベルトループに通されることでショルダーバッグとして機能することを特徴とするマルチウェイバッグ。
【請求項３】
請求項１および請求項２のいずれかに記載のマルチウェイバッグであって、
当該マルチウェイバッグは、前記第１側面と第２側面の間に位置する第３側面の長手方向略中央位置から長手方向両端方向に向けて間を隔てて設けられた２つの補助ベルトループが設けられ、該補助ベルトループは前記第３側面に埋め込まれる金属プレートと一体として構成されており、
前記２つの補助ベルトループに前記環状ベルト体が通されることでブリーフケースバッグとして機能することを特徴とするマルチウェイバッグ。
【請求項４】
請求項１に記載のマルチウェイバッグであって、
当該マルチウェイバッグは、前記環状ベルト体が前記第１側面に設けられた固定部に固定されるとともに前記第２側面の長手方向両端部に設けられた２つのベルトループに通されることでリュックサックとして機能することを特徴とするマルチウェイバッグ。
【請求項５】
請求項１から請求項４のいずれかに記載のマルチウェイバッグであって、
前記扁平面は、略矩形周縁にファスナーを備えて該扁平面から着脱自在な矩形被覆シートを有することを特徴とするマルチウェイバッグ。
【請求項６】
請求項５に記載のマルチウェイバッグであって、
前記矩形被覆シートは、線対称に折り畳まれて略矩形周縁のファスナーを閉めることでサブバッグを形成することを特徴とするマルチウェイバッグ。
【請求項７】
請求項５に記載のマルチウェイバッグであって、
２枚の矩形被覆シートを重ねて該２枚の矩形被覆シート同士のファスナーを噛み合わせることでサブバッグを形成することを特徴とするマルチウェイバッグ。
【発明の詳細な説明】
【技術分野】
【０００１】
本発明は複数の持ち方ができるバッグ、特に持ち方を誰でも簡単に変更できるマルチウェイバッグの改良技術に関する。
【背景技術】
【０００２】
従来から、手提げバッグやショルダーバッグなどのようにバッグに何らかの工夫をすることで複数の持ち方ができるいわゆる２ウェイバッグや３ウェイバッグが知られている。このようなバッグは、用途や場面に合わせて持ち方を変えることができるので使用者からは非常に重宝されている。
【０００３】
そして昨今では、２ウェイバッグ等よりもさらに多様な持ち方ができるよう様々な工夫がされたバッグが販売されるようになっている。例えば特許文献１には、主収納部の下部を背面側に折り返し背側目隠しパーツと主収納部の上半部の背面との隙間に差し込むことで下部を折り返し状態に保持することができ、主収納部の縦長状態の大きさからその半分の横長状態の大きさに変化させることができるバッグが開示されている。そして、ショルダーストラップを様々な箇所に取り付けることで最大で７ウェイの持ち方ができるバッグに関する技術が開示されている。
【０００４】
また、特許文献２には、ショルダーベルトを工夫するとともにマグネットボタン等を利用して小型リュックサックを搭載できる構造とすることで、ショルダーバッグや斜め掛けバッグ、手提げバッグ、ベビーカー用バッグとして利用でき、且つ、本体から小型リュックサックを取り外して移動用リュックサックとして使用できるマルチウェイリュックサックに関する技術が開示されている。
【先行技術文献】
【特許文献】
【０００５】
【特許文献１】特許第６０４６２２３号公報
【特許文献２】特開２０１７−１７６７９６号公報
【発明の概要】
【発明が解決しようとする課題】
【０００６】
しかしながら、特許文献１のように主収容部の大きさを変えられる構造にするとともに様々な部分にショルダーストラップを取り付けられるようにすることでいわゆるマルチウェイバッグを実現することができるようになるが、ショルダーストラップを取り付ける部分をポケットから取り出したり、主収納部を折り畳んで所定のポケットに閉まったりしなければならず、そもそもバッグの構造が複雑すぎて使用者の利便性を欠く恐れがある。
【０００７】
また、同様に特許文献２のマルチウェイリュックサックでも使用者の持ち方に合わせてショルダーベルトを適正に調整する必要であるため、使用者が当該マルチウェイバッグの調整等に慣れていないと持ち運び方を変更するたびに思った以上の時間を要することとなってしまう。
【課題を解決するための手段】
【０００８】
本発明は上記従来技術の課題に鑑みて行われたものであって、その目的は、バッグ自体の構造がシンプルで、且つ、誰でも簡単に取り扱うことができるとともに様々な用途に合わせて利用できるマルチウェイバッグを提供することである。
【０００９】
上記課題を解決するために、本発明に係るマルチウェイバッグは、
略扁平直方体形状のバッグ本体と該バッグ本体に係合された１本の環状ベルト体を有し、該環状ベルト体を利用して複数の持ち方ができるマルチウェイバッグであって、
前記バッグ本体は、対向する両扁平面に直交して第１側面を有し、該第１側面の長手方向両端部には前記環状ベルト体が通されるベルトループが設けられるとともに該第１側面の長手方向略中央には少なくとも前記環状ベルト体の一部が固定される固定部が設けられ、
さらに前記第１側面に対向する第２側面の長手方向両端部にはベルトループが設けられ、
前記ベルトループは、前記環状ベルト体を取り外すための着脱機構を有し、
前記環状ベルト体は、少なくとも２つのベルトループに通されて吊持手段を形成することを特徴とする。
【００１０】
また、本発明に係るマルチウェイバッグは、
当該マルチウェイバッグは、前記環状ベルト体が第１側面の長手方向両端部に設けられた２つのベルトループおよび第２側面の長手方向両端部に設けられた２つのベルトループに通されることでショルダーバッグとして機能することを特徴とする。
【００１１】
また、本発明に係るマルチウェイバッグは、
当該マルチウェイバッグは、前記第１側面と第２側面の間に位置する第３側面の長手方向略中央位置から長手方向両端方向に向けて間を隔てて設けられた２つの補助ベルトループが設けられ、該補助ベルトループは前記第３側面に埋め込まれる金属プレートと一体として構成されており、
前記２つの補助ベルトループに前記環状ベルト体が通されることでブリーフケースバッグとして機能することを特徴とする。
【００１２】
また、本発明に係るマルチウェイバッグは、
当該マルチウェイバッグは、前記環状ベルト体が前記第１側面に設けられた固定部に固定されるとともに前記第２側面の長手方向両端部に設けられた２つのベルトループに通されることでリュックサックとして機能することを特徴とする。
【００１３】
また、本発明に係るマルチウェイバッグは、
前記扁平面は、略矩形周縁にファスナーを備えて該扁平面から着脱自在な矩形被覆シートを有することを特徴とする。
【００１４】
また、本発明に係るマルチウェイバッグは、
前記矩形被覆シートは、線対称に折り畳まれて略矩形周縁のファスナーを閉めることでサブバッグを形成することを特徴とする。
【００１５】
また、本発明に係るマルチウェイバッグは、
２枚の矩形被覆シートを重ねて該２枚の矩形被覆シート同士のファスナーを噛み合わせることでサブバッグを形成することを特徴とする。
【発明の効果】
【００１６】
本発明によれば、バッグ本体の所定位置に複数のベルトループが設けられるとともにベルトループが設けられた側面の所定位置に固定部を有して構成され、環状ベルト体が通されるベルトループの数および位置を変えることで、複数の持ち方で使用可能なマルチウェイバッグを提供することができる効果を奏する。例えば本発明に係るマルチウェイバッグは、ショルダーバッグ、リュックサック、ブリーフケースバッグ等として使用することができる。
【図面の簡単な説明】
【００１７】
【図１】本発明の実施形態に係るマルチウェイバッグの概略イメージ図を示す。
【図２】本発明の実施形態に係るマルチウェイバッグにおける補助ベルトループの一例を示す。
【図３】本発明の実施形態に係るマルチウェイバッグにおけるバッグ本体およびバッグ本体から取り外した環状ベルト体の概略図を示す。
【図４】本実施形態に係るマルチウェイバッグのバッグ本体が備える固定部の一例を示す。
【図５】ショルダーバッグとして機能する本実施形態に係るマルチウェイバッグの概略説明図を示す。
【図６】ブリーフケースバッグとして機能する本実施形態に係るマルチウェイバッグの概略説明図を示す。
【図７】リュックサックとして機能する本実施形態に係るマルチウェイバッグの概略説明図を示す。
【図８】縦型バッグとして機能する本実施形態に係るマルチウェイバッグの概略説明図を示す。
【図９】両手持ちバッグとして機能する本実施形態に係るマルチウェイバッグの概略説明図を示す。
【図１０】本実施形態の矩形被覆シートによるマルチウェイバッグのデザイン変更の概略イメージ図を示す。
【図１１】本実施形態に係るマルチウェイバッグの矩形被覆シートを利用した小型サブバッグの概略説明図を示す。
【図１２】本実施形態に係るマルチウェイバッグの矩形被覆シートを利用した中型サブバッグの概略説明図を示す。
【発明を実施するための形態】
【００１８】
以下、本発明のマルチウェイバッグについて図面を用いて説明するが、本発明の趣旨を越えない限り何ら以下の例に限定されるものではない。
【００１９】
図１には本発明の実施形態に係るマルチウェイバッグの概略イメージ図を示す。同図に示すマルチウェイバッグ１０は、略扁平直方体形状のバッグ本体１２と該バッグ本体１２に係合された１本の環状ベルト体１４から構成されている。
【００２０】
バッグ本体１２は、扁平面１６と直交して形成された第１側面１８の長手方向両端部にベルトループ２０が設けられている。また、第１側面１８と対向する第２側面２４にも第１側面１８と同様に長手方向両端部にベルトループ２０が設けられている。第１側面１８の略中央位置には少なくとも環状ベルト体１４の一部が固定される固定部２６が設けられている。本実施形態では固定部２６が第１側面１８に設けられているが、例えば第２側面にも固定部２６が設けられていても良い。そして第３側面２８には環状ベルト体１４が通される補助ベルトループ３０が設けられている。さらに扁平面１６には、該扁平面１６の全体を覆うように矩形被覆シート３２が設けられている。
【００２１】
ベルトループ２０は略矩形状であり、その両端部分が第１側面１８に固定されている。そしてベルトループ２０（および補助ベルトループ３０）には、当該マルチウェイバッグ１０の使用形態によって自在に環状ベルト体１４を着脱できるように着脱機構が設けられている。着脱機構はベルトループ２０に環状ベルト体１４を通した状態である程度の強度を保てれば良く特に限定されるものではないが、例えばベルトループ２０の一端にスナップボタン２２を有して着脱自在に構成されていることが好ましい。ベルトループ２０をこのような構成とすることで、マルチウェイバッグ１０の使用形態に応じて誰でも簡単に着脱することができ、且つ、環状ベルト体１４を所定の位置に保持することができる。
【００２２】
ここで補助ベルトループ３０は、マルチウェイバッグ１０の第３側面２８の一部と一体として構成されていることが好ましく、例えば補助ベルトループ３０は図２に示されるように第３側面２８に埋め込まれた金属プレート３０ｃと一体として構成されるとともに金属を含んで構成されていることが好適である。また補助ベルトループ３０は、形状を略コの字型形状として、環状ベルト体１４を引っ掛けるような構成としても良い。補助ベルトループ３０をこのような構成とすることで、詳細は後述するがマルチウェイバッグ１０を持ち運ぶ際に必要な強度を確保することができる。
【００２３】
環状ベルト体１４は、図３に示すようにバッグ本体１２から取り外すことが可能であり、マルチウェイバッグ１０の使用形態に合わせてバッグ本体１２の所定位置（ベルトループ２０、固定部２６、補助ベルトループ３０）に通して使用する。環状ベルト体１４は、帯状のベルトが輪（リング）を成して構成されており、長さが調整可能な環状のベルトである。
【００２４】
また、環状ベルト体１４はその一部がバッグ本体１２の固定部２６に固定できるように該固定部２６に対応した固定機構を備えていることが好ましい。例えば図４に示すようにバッグ本体１２の第１側面１８に固定凹部２６ａを設けた場合には、環状ベルト体１４に固定凸部２６ｂを設けることでバッグ本体１２と環状ベルト体１４との良好な固定が実現できる。この場合は、環状ベルト体１４が固定凸部リング２６ｃを貫通する構成にすることで、固定凸部２６ｂを環状ベルト体１４における様々な位置に移動させて使用することができるので便利である。本実施形態に係るマルチウェイバッグは、概略以上のように構成されている。
【００２５】
ショルダーバッグ
図５には、本発明の実施形態に係るマルチウェイバッグがショルダーバッグとして機能する場合の概略説明図を示す。図５は、バッグ本体１２と環状バンド体１４の関係を分かりやすく説明するために、図１における扁平面１６方向からバッグ本体１２を見た場合の概略説明図である。また図５では、環状バンド体１４がどのようにバンドループ２０および補助バンドループ３０に通されているかを分かりやすくするために、バンドループ２０および補助バンドループを実際の寸法よりも大きく図示している。
【００２６】
環状バンド体１４は、バッグ本体１２に設けられた４つのベルトループ２０（第１側面１８に設けられた２０ａ、２０ｂ、および第２側面２４に設けられた２０ｃ、２０ｄ）に通されてバッグ本体１２の側面を包囲するように設けられている。この時、環状バンド体１４の一部がバッグ本体１２の固定部２６に固定されていることが好ましい。環状バンド体１４の一部がバッグ本体１２の固定部２６に固定されていることで、持ち運ぶ際の強度を確保する効果が期待できる。
【００２７】
そして、４つのベルトループ２０に通された環状ベルト体１４を第３側面２８方向へ持ち上げることで（第３側面２８方向に移動させることで）、バッグ本体１２が環状ベルト体１４に包囲されてしっかりと固定される状態となるとともに、ショルダーバッグ１０２の持ち手（吊持手段）を形成する。
【００２８】
この時、ショルダーバッグ１０２を持ち上げるとバッグ本体１２の下側面（第３側面２８とは反対側の側面）が環状ベルト体１４（ベルトループ２０ｂと２０ｄ側）に当接された状態となり、結果的には環状ベルト体１４でバッグ本体１２を支えている状態となるので、十分な強度を保つことができる。また、使用者の好みに合わせてベルト体１４の長さを調整すれば、使用者の体格等の影響を受けないでショルダーバッグ１０２として使用することができる。
【００２９】
ブリーフケースバッグ
次にマルチウェイバッグ１０をブリーフケースバッグとして利用する場合について説明する。ここで、本明細書におけるブリーフケースバッグとは、略扁平直方体形状を有する手持ちバッグ（片手持ちバッグ）のことである。図６には、本発明の実施形態に係るマルチウェイバッグ１０がブリーフケースバッグとして機能する場合の概略説明図を示す。同図に示すとおり、図５のショルダーバッグ１０２と同様に環状ベルト体１４はバッグ本体１２に設けられた４つのベルトループ２０に通されているとともにバッグ本体１２の固定部２６に固定されている。
【００３０】
そして図６では、さらに環状ベルト体１４が第３側面２８に設けられた補助ベルトループ３０ａおよび３０ｂに通されている。補助ベルトループ３０は、第３側面２８の長手方向略中央位置から長手方向両端方向へ一定の間を隔てて設けられており、このような構成とすることでブリーフケースバッグ１０４の持ち手部分を使用者の掌サイズに簡単に調整することができる。本実施形態において、この掌サイズの持ち手部分をより持ちやすくするために、例えば帯状の環状ベルト体１４の持ち手部分のみを棒状にまとめる把持手段を備えていても良い。
【００３１】
また、本実施形態では補助ベルトループ３０は前述した図２に示されるように金属プレート３０ｃと一体として構成されているため、ブリーフケースバッグを持ち上げた際に補助ベルトループ３０ａおよび３０ｂの２点に力が集中しても十分な強度を保持することができる。
【００３２】
このように補助ベルトループ３０を利用すれば容易に掌サイズの持ち手部分を形成することができ、その結果、誰でも簡単に本実施形態に係るマルチウェイバッグ１０をブリーフケースバッグ１０４として使用することができる。また、ブリーフケースバッグ１０４は、使用状況により環状ベルト体１４の長さを適宜調整しても良い。
【００３３】
リュックサック
次にマルチウェイバッグ１０をリュックサックとして利用する場合について説明する。図７には、本発明の実施形態に係るマルチウェイバッグがリュックサックとして機能する場合の概略説明図を示す。図７では、環状ベルト体１４の一部がバッグ本体１２における第１側面に設けられた固定部２６に固定されているとともに、第２側面２４に設けられた２つのベルトループ２０（２０ｃ、２０ｄ）に通されている。
【００３４】
第１側面１８に設けられたベルトループ２０から環状ベルト体１４を取り外すとともに、第３側面２８に設けられた補助ベルトループ３０（３０ａおよび３０ｃ）からも環状ベルト体１４を取り外し、これらの位置において環状ベルト体１４をフリーの状態とすることで、誰でも簡単にマルチウェイバッグ１０をリュックサック１０６として使用することができる。
【００３５】
そして、マルチウェイバッグ１０をリュックサック１０６として使用する場合の固定部２６は、図４に示された固定凸部２６ａおよび固定凹部２６ｂ（および固定凹部リング２６ｃ）で形成されていることが好ましい。このような構成の固定部２６とすることで、誰でも簡単にリュックサック１０６として機能させることができ、且つ、使用時の強度を確保することができる。さらに本実施形態におけるリュックサック１０６は、第３側面２４方向に位置する環状ベルト体１４でバッグ本体１２が支えられることで強度を保つことができる。
【００３６】
縦型バッグ
次にマルチウェイバッグを縦型バッグとして利用する場合について説明する。図８には、本発明の実施形態に係るマルチウェイバッグが縦型バッグとして機能する場合の概略説明図を示す。同図に示すように基本的には図５で詳述したショルダーバッグ１０２として利用する場合と同様に環状ベルト体１４を４つのベルトループ２０（第１側面１８に設けられた２０ａ、２０ｂ、および第２側面２４に設けられた２０ｃ、２０ｄ）に通して構成されている。
【００３７】
そして、図８に示すようにマルチウェイバッグ１０を縦型バッグ１０８として機能させる場合には、バッグ本体１２が有する固定部２６から環状ベルト体１４を取り外して利用することとなる（第１側面１８方向に持ち手が形成されるため）。この場合、縦型バッグ１０８を持ち運ぶ際の強度を確保するために環状ベルト体１４を補助ベルトループ３０ａおよび３０ｂ（または３０ａおよび３０ｂのどちらか一方）に通して使用してすることもできる。
【００３８】
このように本実施形態に係るマルチウェイバッグ１０では、前述したショルダーバッグ１０２やブリーフケースバッグ１０４と同様にバッグ本体１２を包囲するように環状ベルト体１４が係合されているので、誰でも簡単に強度が保たれた縦型バッグ１０８として使用することができる。
【００３９】
両手持ちバッグ
本実施形態に係るマルチウェイバッグ１０は、例えば重量物を運搬する際に両手持ちバッグとしても利用することができる。図９には本発明の実施形態に係るマルチウェイバッグを両手持ちバッグとして機能させる場合の概略説明図を示す。環状ベルト体１４は、４つのベルトループ２０（２０ａ、２０ｂ、２０ｃ、２０ｄ）に通されており、さらに補助ベルトループ３０（３０ａ、３０ｂ）にも通されている。
【００４０】
ここで、図９における両手持ちバッグ１１０は環状ベルト体１４が固定部２６に固定されていないが、補助ベルトループ３０に通されているので重量物を運搬できる強度を確保することができる。そして使用者が第１側面１８方向および第２側面２４方向へ環状ベルト体１４を引っ張ることで、マルチウェイバッグ１０は２つの持ち手を有する両手持ちバッグ１１０として使用することができる。
【００４１】
このように本実施形態に係るマルチウェイバッグ１０は、扁平面１６を上方（持ち運ぶ際に地面とは反対方向）に向けて運搬する際の両手持ちが可能となり、例えば重量物等を運搬する際に利用するコンテナ等と同様の役割を果たせる両手持ちバッグ１１０として使用することができる。
【００４２】
また、上述した図５から図９における各種バッグは、バッグ本体１２の上下方向を逆にして利用することもできる。例えば図７および図８のように第１側面１８を上方にして使用するバッグ（リュックサック、縦型バッグ）では、第２側面２４を上方にして使用することもできる。同様に、図５および図６のように第３側面２８を上方にして使用するバッグ（ショルダーバッグ、ブリーフケースバッグ）では、第３側面２８を下方にして使用することもできる。
【００４３】
また、例えばバッグ本体１２と同じ大きさの運搬物を該バッグ本体内部に収納した後に、その運搬物がさかさまである事に気づいた場合に、いちいち運搬物を取り出して収納しなおさなくても、上述のとおり環状ベルト体１４による持ち運び方を変えるだけで対応することができる。
【００４４】
マルチウェイバッグのデザイン変更
本実施形態におけるマルチウェイバッグ１０は、扁平面１６に矩形被覆シート３２が設けられている（図１を参照）。本実施形態において矩形被覆シート３２は略矩形周縁にファスナーを備えており、該ファスナーでバッグ本体１２（扁平面１６）に固定されている。つまり、矩形被覆シート３２はファスナーによってバッグ本体１２から取り外し可能に構成されている。本実施形態では、矩形被覆シート３２がファスナーを有して構成されているが、扁平面１６への固定手段はファスナーに限定されることはなく簡単にバッグ本体１２から着脱できれば他の手段による固定でも良い。
【００４５】
そして、本実施形態におけるマルチウェイバッグ１０ではバッグ本体１２に設けられている矩形被覆シート３２を別のデザインを有する矩形被覆シート３２に変更することで、マルチウェイバッグ１０自体のデザイン等をその用途に合わせて簡単に変更することができる。
【００４６】
具体的には図１０（ａ）に示されるようにバッグ本体１２（扁平面１６）には無模様の矩形被覆シート３２が設けられているが、バッグ本体１２の無模様の矩形被覆シート３２を扁平面１６から取り外し、図１０（ｂ）のようなストライプ模様の矩形被覆シート３２に付け替えることで、誰でも簡単に気分や用途に合わせてマルチウェイバッグ１０のデザインを変更することができる。
【００４７】
サブバッグ
上述のように、本実施形態における矩形被覆シート３２は、バッグ本体１２（扁平面１６）から取り外せるように形成されている。そして、本実施形態ではバッグ本体１２から取り外された矩形被覆シート３２を利用して、メインバッグとしてのマルチウェイバッグ１０とは別のサブバッグを形成することができる。
【００４８】
図１１には、本実施形態に係るマルチウェイバッグの矩形被覆シートを利用した小型サブバッグの概略説明図を示す。同図に示すように矩形被覆シート３２を扁平面１６から取り外し、線対称に折り畳み（図１１における左側の矩形被覆シート３２の点線に沿って折り畳んで）、矩形被覆シート３２の略矩形周縁に設けられたファスナーを閉めることで小型サブバッグ１１２を形成することができる。
【００４９】
また、本実施形態に係るマルチウェイバッグ１０は、バッグ本体１２を形成する両扁平面１６（図１に示された正面側に位置する扁平面１６と図１では見えない背面側に位置する扁平面１６）に矩形被覆シート３２を有して構成されているので、この２枚の矩形被覆シート３２を利用すれば２つの小型サブバッグを形成することができる。
【００５０】
さらに図１２に示すように、２枚の矩形被覆シート３２同士を重ねてそれぞれのファスナーを噛み合わせることで、簡単に中型サブバッグを形成することもできる。したがって、使用者はメインバッグとして用途に合わせた使用形態でマルチウェイバッグを利用できるとともに、別のバッグを準備することなく矩形被覆シート３２による小型サブバッグや中型サブバッグを選択して利用することができる。
【００５１】
このように本実施形態におけるマルチウェイバッグ１０では、矩形被覆シート３２を利用することで、使用者の用途に合わせて当該マルチウェイバッグのデザインを変更したり、あるいは当該マルチウェイバッグとは別に小型サブバッグ、中型サブバッグを形成して使用することができる。
【産業上の利用可能性】
【００５２】
本発明に係るマルチウェイバッグは、使用者の使用環境や用途等に合わせて、ショルダーバッグ、ブリーフケースバッグ、リュックサック、縦型バッグ、両手持ちバッグとして利用することができる。さらに使用者が必要な場合には、メインバッグとしてのマルチウェイバッグとは別に小型サブバッグや中型サブバッグを形成して利用することもできる。
【符号の説明】
【００５３】
１０        マルチウェイバッグ
１２        バッグ本体
１４        環状ベルト体
１６        扁平面
１８        第１側面
２０        ベルトループ
２２        スナップボタン
２４        第２側面
２６        固定部
２６ａ      固定凹部
２６ｂ      固定凸部
２６ｃ      固定凸部リング
２８        第３側面
３０        補助ベルトループ
３０ｃ      金属プレート
３２        矩形被覆シート
１０２      ショルダーバッグ
１０４      ブリーフケースバッグ（手持ちバッグ）
１０６      リュックサック
１０８      縦型バッグ
１１０      両手持ちバッグ
１１２      小型サブバッグ
１１４      中型サブバッグ
【図１】
2019154931.tif 000003
【図２】
2019154931.tif 000004
【図３】
2019154931.tif 000005
【図４】
2019154931.tif 000006
【図５】
2019154931.tif 000007
【図６】
2019154931.tif 000008
【図７】
2019154931.tif 000009
【図８】
2019154931.tif 000010
【図９】
2019154931.tif 000011
【図１０】
2019154931.tif 000012
【図１１】
2019154931.tif 000013
【図１２】
2019154931.tif 000014